【手続補正書】
【提出日】平成19年12月17日(2007.12.17)
【手続補正１】
【補正対象書類名】明細書
【補正対象項目名】特許請求の範囲
【補正方法】変更
【補正の内容】
【特許請求の範囲】
【請求項１】  所定の通信媒体を介して外部画像処理装置と通信可能な画像処理装置であって、
入力された画像データに対して行う画像処理を選択する選択手段と、
前記選択手段により選択された画像処理を前記外部画像処理装置において実行可能かどうか判断する第１の判断手段と、
前記選択手段により選択された画像処理を自機で実行可能かどうか判断する第２の判断手段と、
前記第２の判断手段により自機で実行できないと判断され、且つ前記第１の判断手段により前記外部画像処理装置において実行可能であると判断された場合に、前記画像データを前記外部画像処理装置に転送し、当該外部画像処理装置において前記選択された画像処理を実行させる制御手段と、
前記外部画像処理装置において前記画像処理が実行された画像データを当該外部画像処理装置から受信する受信手段と、
前記受信手段によって受信された画像データに基づいて画像を記録紙上に出力する出力手段と、
を有することを特徴とする画像処理装置。
【請求項２】  前記第２の判断手段は、前記選択手段により選択された画像処理に対応する画像処理手段を自機が備えているか否かに基づいて、当該画像処理を実行可能かどうかを判断することを特徴とする請求項１記載の画像処理装置。
【請求項３】  前記外部画像処理装置との通信に従い、前記画像処理を前記自機で実行する場合と前記外部画像処理装置で実行する場合とで、前記出力手段を起動するタイミングを変える出力制御手段を有することを特徴とする請求項１又は２に記載の画像処理装置。
【請求項４】  前記画像処理は、前記画像データに対する画像編集処理であることを特徴とする請求項１乃至３の何れかに記載の画像処理装置。
【請求項５】  前記画像編集処理は、斜体処理，鏡像処理，画像合成処理の何れかであることを特徴とする請求項４記載の画像処理装置。
【請求項６】  所定の通信媒体を介して外部画像処理装置と通信可能な画像処理装置であって、
入力された画像データを記憶する画像メモリと、
前記外部画像処理装置が備えるメモリ資源が使用できるかどうかを判断する第１の判断手段と、
前記入力された画像データを前記画像メモリで記憶可能かどうかを判断する第２の判断手段と、
前記第２の判断手段により前記画像メモリで記憶できないと判断され、且つ前記第１の判断手段により前記外部画像処理装置が備えるメモリ資源が使用できると判断された場合に、前記画像データを前記外部画像処理装置に転送し、当該外部画像処理装置が備えるメモリ資源に記憶させる制御手段と、
前記外部画像処理装置が備えるメモリ資源に記憶された画像データを当該外部画像処理装置から受信する受信手段と、
前記受信手段によって受信された画像データに基づいて画像を記録紙上に出力する出力手段と、
を有することを特徴とする画像処理装置。
【請求項７】  所定の通信媒体を介して外部画像処理装置と通信可能な画像処理装置における画像処理方法であって、
入力された画像データに対して行う画像処理を選択する選択ステップと、
前記選択ステップにより選択された画像処理を前記外部画像処理装置において実行可能かどうか判断する第１の判断ステップと、
前記選択ステップにより選択された画像処理を自機で実行可能かどうか判断する第２の判断ステップと、
前記第２の判断ステップにより自機で実行できないと判断され、且つ前記第１の判断ステップにより前記外部画像処理装置において実行可能であると判断された場合に、前記画像データを前記外部画像処理装置に転送し、当該外部画像処理装置において前記選択された画像処理を実行させる制御ステップと、
前記外部画像処理装置において前記画像処理が実行された画像データを当該外部画像処理装置から受信する受信ステップと、
前記受信ステップによって受信された画像データに基づいて画像を記録紙上に出力する出力ステップと、
を有することを特徴とする画像処理方法。
【請求項８】  前記第２の判断ステップは、前記選択ステップにより選択された画像処理に対応する画像処理手段を自機が備えているか否かに基づいて、当該画像処理を実行可能かどうかを判断することを特徴とする請求項７記載の画像処理方法。
【請求項９】  前記外部画像処理装置との通信に従い、前記画像処理を前記自機で実行する場合と前記外部画像処理装置で実行する場合とで、前記出力ステップを起動するタイミングを変える出力制御ステップを有することを特徴とする請求項７又は８に記載の画像処理方法。
【請求項１０】  前記画像処理は、前記画像データに対する画像編集処理であることを特徴とする請求項７乃至９の何れかに記載の画像処理方法。
【請求項１１】  前記画像編集処理は、斜体処理，鏡像処理，画像合成処理の何れかであることを特徴とする請求項１０記載の画像処理方法。
【請求項１２】  所定の通信媒体を介して外部画像処理装置と通信可能な画像処理装置における画像処理方法であって、
前記外部画像処理装置が備えるメモリ資源が使用できるかどうかを判断する第１の判断ステップと、
入力された画像データを画像メモリで記憶可能かどうかを判断する第２の判断ステップと、
前記第２の判断ステップにより前記画像メモリで記憶できないと判断され、且つ前記第１の判断ステップにより前記外部画像処理装置が備えるメモリ資源が使用できると判断された場合に、前記画像データを前記外部画像処理装置に転送し、当該外部画像処理装置が備えるメモリ資源に記憶させる制御ステップと、
前記外部画像処理装置が備えるメモリ資源に記憶された画像データを当該外部画像処理装置から受信する受信ステップと、
前記受信ステップによって受信された画像データに基づいて画像を記録紙上に出力する出力ステップと、
を有することを特徴とする画像処理方法。
【請求項１３】  所定の通信媒体を介して外部画像処理装置と通信可能な画像処理装置を制御するコンピュータを、
入力された画像データに対して行う画像処理を選択する選択手段と、
前記選択手段により選択された画像処理を前記外部画像処理装置において実行可能かどうか判断する第１の判断手段と、
前記選択手段により選択された画像処理を自機で実行可能かどうか判断する第２の判断手段と、
前記第２の判断手段により自機で実行できないと判断され、且つ前記第１の判断手段により前記外部画像処理装置において実行可能であると判断された場合に、前記画像データを前記外部画像処理装置に転送し、当該外部画像処理装置において前記選択された画像処理を実行させる制御手段と、
前記外部画像処理装置において前記画像処理が実行された画像データを当該外部画像処理装置から受信する受信手段と、
前記受信手段によって受信された画像データに基づいて画像を記録紙上に出力する出力手段と、
して機能させるためのプログラムを記録したコンピュータ読み取り可能な記録媒体。
【請求項１４】  所定の通信媒体を介して外部画像処理装置と通信可能な画像処理装置を制御するコンピュータを、
入力された画像データを記憶する画像メモリと、
前記外部画像処理装置が備えるメモリ資源が使用できるかどうかを判断する第１の判断手段と、
前記入力された画像データを前記画像メモリで記憶可能かどうかを判断する第２の判断手段と、
前記第２の判断手段により前記画像メモリで記憶できないと判断され、且つ前記第１の判断手段により前記外部画像処理装置が備えるメモリ資源が使用できると判断された場合に、前記画像データを前記外部画像処理装置に転送し、当該外部画像処理装置が備えるメモリ資源に記憶させる制御手段と、
前記外部画像処理装置が備えるメモリ資源に記憶された画像データを当該外部画像処理装置から受信する受信手段と、
前記受信手段によって受信された画像データに基づいて画像を記録紙上に出力する出力手段と、
して機能させるためのプログラムを記録したコンピュータ読み取り可能な記録媒体。
【手続補正２】
【補正対象書類名】明細書
【補正対象項目名】０００７
【補正方法】変更
【補正の内容】
【０００７】
本発明は、上記の問題点を解消するためになされたもので、本発明の目的は、自機で設定された所定の画像処理要求を有効に実行できない事態が生じても、外部画像処理装置の資源を利用して継続的に画像処理を行える利便性の高い画像処理装置を提供することである。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
【課題を解決するための手段】
本発明に係る画像処理装置は以下の特徴的構成を備える。
所定の通信媒体を介して外部画像処理装置と通信可能な画像処理装置であって、入力された画像データに対して行う画像処理を選択する選択手段と、前記選択手段により選択された画像処理を前記外部画像処理装置において実行可能かどうか判断する第１の判断手段と、前記選択手段により選択された画像処理を自機で実行可能かどうか判断する第２の判断手段と、前記第２の判断手段により自機で実行できないと判断され、且つ前記第１の判断手段により前記外部画像処理装置において実行可能であると判断された場合に、前記画像データを前記外部画像処理装置に転送し、当該外部画像処理装置において前記選択された画像処理を実行させる制御手段と、前記外部画像処理装置において前記画像処理が実行された画像データを当該外部画像処理装置から受信する受信手段と、前記受信手段によって受信された画像データに基づいて画像を記録紙上に出力する出力手段とを有することを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００４５
【補正方法】削除
【補正の内容】
【手続補正４１】
【補正対象書類名】明細書
【補正対象項目名】００４６
【補正方法】削除
【補正の内容】
【手続補正４２】
【補正対象書類名】明細書
【補正対象項目名】００４７
【補正方法】削除
【補正の内容】
【手続補正４３】
【補正対象書類名】明細書
【補正対象項目名】００４８
【補正方法】削除
【補正の内容】
【手続補正４４】
【補正対象書類名】明細書
【補正対象項目名】００４９
【補正方法】削除
【補正の内容】
【手続補正４５】
【補正対象書類名】明細書
【補正対象項目名】００５０
【補正方法】削除
【補正の内容】
【手続補正４６】
【補正対象書類名】明細書
【補正対象項目名】０１４９
【補正方法】変更
【補正の内容】
【０１４９】
ＲＯＭ１２４に記憶されている外部機器機能判断手段は、画像メモリ管理手段に対して１枚目の原稿が記憶できるか否かを問い合わせる（１３０５）。
【手続補正４７】
【補正対象書類名】明細書
【補正対象項目名】０１８４
【補正方法】変更
【補正の内容】
【０１８４】
【発明の効果】
以上説明したように、本発明によれば、自機で設定された所定の画像処理要求を有効に実行できない事態が生じても、外部画像処理装置の資源を利用して継続的に画像処理を行える利便性の高い画像処理環境を自在に構築することができる。
【手続補正４８】
【補正対象書類名】明細書
【補正対象項目名】０１８５
【補正方法】削除
【補正の内容】